(57)【要約】【課題】使用する透析液供給装置に応じて適切な措置を講じることが可能な透析用ベースユニット及び透析システムを提供する。【解決手段】透析液供給用の透析液供給装置２と別体に設けられ、透析液供給装置２から透析液の供給を受けて血液透析を行う透析用ベースユニット３であって、接続された透析液供給装置２を特定可能な透析液供給装置特定手段４を備えた。【選択図】図１
2019126530.tif 000002
【特許請求の範囲】
【請求項１】
透析液供給用の透析液供給装置と別体に設けられ、前記透析液供給装置から透析液の供給を受けて血液透析を行う透析用ベースユニットであって、
接続された透析液供給装置を特定可能な透析液供給装置特定手段を備えた、
透析用ベースユニット。
【請求項２】
前記透析液供給装置特定手段で特定された透析液供給装置が正しいか否かを確認する確認手段をさらに備えた、
請求項１に記載の透析用ベースユニット。
【請求項３】
透析状況あるいは設定可能な透析条件を表示するモニタと、
前記透析液供給装置特定手段で特定された透析液供給装置に応じて、前記モニタの表示内容を変更する表示制御部と、をさらに備えた、
請求項１または２に記載の透析用ベースユニット。
【請求項４】
前記透析液供給装置と通信を行う通信手段と、
前記通信手段を介して前記透析液供給装置を制御する透析液供給装置制御部と、をさらに備え、
前記透析液供給装置制御部は、前記透析液供給装置特定手段で特定された透析液供給装置に応じて、その制御内容が変化する、
請求項１乃至３の何れか１項に記載の透析用ベースユニット。
【請求項５】
血液透析時の異常を検知する異常検知手段と、
異常検知手段により異常が検知されたとき、異常の検知を報知する報知手段と、をさらに備え、
前記報知手段は、前記透析液供給装置特定手段で特定された透析液供給装置に応じて、その報知先を変更可能に構成されている、
請求項１乃至４の何れか１項に記載の透析用ベースユニット。
【請求項６】
透析液供給用の透析液供給装置と、
請求項１乃至５の何れか１項に記載の透析用ベースユニットと、を備えた、
透析システム。
【発明の詳細な説明】
【技術分野】
【０００１】
本発明は、透析用ベースユニット及び透析システムに関する。
【背景技術】
【０００２】
血液透析に用いられる透析システムでは、様々な透析液供給装置が用いられている。透析システムで用いられる透析液供給装置としては、例えば、病院等のＣＤＤＳ（Central Dialysis fluid Delivery System）に用いられる多人数用透析液供給装置、透析液の原液と水から透析液を調製する機能を有する装置、透析液をバッグ等から供給し使用済みの透析液を再生する機能を有する装置等が知られている。
【０００３】
従来、様々な透析液供給装置を用いた透析システムが開発・上市されているが、これら透析システムは各々が異なるコンセプトで製造されており、使用する透析液供給装置に対応した専用の透析システムを使用する必要があった。
【０００４】
特許文献１では、可撓性シートの使い捨てユニットを有する透析液カセットと血液カセットを用いた透析システムが開示されている。特許文献１の透析システムによれば、大凡共通したモジュールで様々な透析液供給装置に対応することが可能になる。以下、透析液供給装置と別体に設けられ、透析液供給装置から透析液の供給を受けて血液透析を行う装置を、透析用ベースユニットと呼称する。
【先行技術文献】
【特許文献】
【０００５】
【特許文献１】特許第５６３９２００号公報
【発明の概要】
【発明が解決しようとする課題】
【０００６】
ところで、透析用ベースユニットを様々な透析液供給装置に接続可能とした場合、例えば脱気機能がない透析液供給装置が接続された場合に脱気可能なユニットの取付けを示唆するなど、安全上の措置が必要となる場合がある。また、透析液供給装置によって透析用ベースユニット側で制御すべき内容が異なる場合もあり、適切な措置を講じる必要がある。
【０００７】
そこで、本発明は、使用する透析液供給装置に応じて適切な措置を講じることが可能な透析用ベースユニット及び透析システムを提供することを目的とする。
【課題を解決するための手段】
【０００８】
本発明は、上記課題を解決することを目的として、透析液供給用の透析液供給装置と別体に設けられ、前記透析液供給装置から透析液の供給を受けて血液透析を行う透析用ベースユニットであって、接続された透析液供給装置を特定可能な透析液供給装置特定手段を備えた、透析用ベースユニットを提供する。
【０００９】
また、本発明は、上記課題を解決することを目的として、透析液供給用の透析液供給装置と、前記透析用ベースユニットと、を備えた、透析システムを提供する。
【発明の効果】
【００１０】
本発明によれば、使用する透析液供給装置に応じて適切な措置を講じることが可能な透析用ベースユニット及び透析システムを提供できる。
【図面の簡単な説明】
【００１１】
【図１】本発明の一実施の形態に係る透析用ベースユニットを用いた透析システムの概略構成図である。
【図２】（ａ）〜（ｃ）は、透析液供給装置の一例を説明する説明図である。
【図３】透析液供給装置特定手段の一例を説明する説明図である。
【発明を実施するための形態】
【００１２】
［実施の形態］
以下、本発明の実施の形態を添付図面にしたがって説明する。
【００１３】
図１は、本実施の形態に係る透析用ベースユニットを用いた透析システムの概略構成図である。透析システム１は、透析液供給用の透析液供給装置２と、本実施の形態に係る透析用ベースユニット３と、を備えている。
【００１４】
（透析液供給装置２）
透析液供給装置２は、透析液を透析用ベースユニット３に供給するための装置である。透析液供給装置２として、例えば、図２（ａ）に示すように、多数の透析用ベースユニット３に一括して透析液を供給する多人数用透析液供給装置２ａが知られている。従来の透析システムでは、多人数用透析液供給装置２ａから透析用監視装置と呼称される装置に透析液を供給していたが、本実施の形態では、この透析用監視装置の役割を透析用ベースユニット３が果たすことになる。
【００１５】
他の透析液供給装置２として、図２（ｂ）に示すように、透析液の原液（図示のＡ原液及びＢ原液）とＲＯ水から透析液を調製する液調整部２１を有する透析液供給装置２ｂもある。ＲＯ水とは、逆浸透膜（ＲＯ（Reverse Osmosis）膜）により不純物を除去した水である。なお、図２（ｂ）で示しているものは、２剤の原液（Ａ原液及びＢ原液）を用いたシステムであるが、必ずしも２剤の原液を用いる必要はなく、例えば１剤の原液、もしくは多数の原液とＲＯ水から透析液を調製してもよい。液調整部２１を有する透析液供給装置２ｂと、透析用ベースユニット３とを合わせて、個人用透析装置と呼称される場合がある。換言すれば、透析用ベースユニット３は、個人用透析装置の一部として用いることもできる。この透析液供給装置２ｂでは、透析用ベースユニット３から排出された排液を貯留する排液貯留部２２も備えられている。ただし、透析用ベースユニット３から直接排液してもよい。
【００１６】
さらに他の透析液供給装置２として、図２（ｃ）に示すように、使用済みの透析液を再生する透析液再生部２３を有した透析液再生装置２ｃを用いることもできる。この例では、透析液再生部２３は、アンモニアを吸着除去する吸着器２３ａと、透析液の成分を調整するための注入液を注入する注入部２３ｂと、を有している場合を示しているが、透析液再生部２３の具体的な構成は特に限定するものではない。また、透析液再生装置２ｃは、透析液を貯留するリザーバ２４を有している。透析液再生装置２ｃで用いる透析液は、自身で調製したものであってもよいし、他の透析液供給装置（透析液調製装置）から供給されたものであってもよい。
【００１７】
（透析用ベースユニット３）
図１に戻り、透析用ベースユニット３は、透析液供給装置２から透析液の供給を受けて血液透析を行うものである。透析用ベースユニット３は、上述の図２（ａ）〜（ｃ）で説明したような様々なタイプの透析液供給装置２を接続可能に構成されている。
【００１８】
透析用ベースユニット３は、患者Ｃの血液を体外循環可能な血液回路３１０を有する体外循環部３１と、血液回路３１０に設けられた透析器３２と、透析液供給装置２から供給された透析液を透析器３２に導入し、透析器３２から排出された透析液（排液）を透析用ベースユニット３の外部へと排出する透析液回路３３０を有する透析液送排液部３３と、を有している。
【００１９】
（透析器３２）
透析器３２は、ダイアライザとも呼称されるものであり、血液浄化膜（中空糸型の血液透析濾過膜、平膜型の血液透析膜、あるいは血液濾過膜）を内在している。透析器３２は、血液を導入する血液導入口３２ａ及び導入した血液を導出する血液導出口３２ｂを有するとともに、透析液を導入する透析液導入口３２ｃ及び導入した透析液を排出する透析液排出口３２ｄを有している。透析器３２では、血液浄化膜を介して血液と透析液とを接触させることで、血液を浄化する。
【００２０】
（体外循環部３１）
血液回路３１０は、例えば可撓性を有するチューブ等から構成される。血液回路３１０は、患者Ｃの血管から採取した血液を透析器３２の血液導入口３２ａに導く動脈側血液回路３１０ａと、透析器３２の血液導出口３２ｂから排出された血液を患者Ｃに戻す静脈側血液回路３１０ｂと、を有している。体外循環部３１は、動脈側血液回路３１０ａに配設され、血液を循環させる送液ポンプ３１１を有している。送液ポンプ３１１は、例えば、チューブをしごいて血液を透析器３２側へと流動させる蠕動型ポンプからなる。
【００２１】
また、体外循環部３１は、静脈側血液回路３１０ｂに設けられ、血液回路３１０を流動する血液の圧力を測定する静脈圧検出器３１２、及び、血液中の気泡を検出する気泡検出器３１３を有している。気泡検出器３１３は、例えば、圧電素子から成る一対の超音波振動素子（発振手段及び受振手段）を有して構成されている。また、静脈側血液回路３１０ｂには、気泡検出器３１３にて気泡が検出されるなどして異常が発生した際に、静脈側血液回路３１０ｂを閉塞して血液の体外循環を中断させる流路閉塞機構３１４が設けられている。静脈圧検出器３１２及び気泡検出器３１３は、本発明の異常検知手段を構成するものである。
【００２２】
なお、図示していないが、体外循環部３１は、血液の抗凝固剤（ヘパリン等）を持続注入する機構や、血液の濃度（ヘマトクリット値）を測定し除水の進行をモニタするヘマトクリットセンサ等をさらに有していてもよい。
【００２３】
（透析液送排液部３３）
透析液回路３３０は、例えば可撓性を有するチューブ等から構成される。透析液回路３３０は、透析液供給装置２から供給された透析液を透析器３２の透析液導入口３２ｃに導く導入側透析液回路３３０ａと、透析液排出口３２ｄから排出された透析液を透析液供給装置２へと戻す排出側透析液回路３３０ｂと、を有している。
【００２４】
透析液送排液部３３は、導入側透析液回路３３０ａと排出側透析液回路３３０ｂにわたって設けられ、透析器３２への透析液の給液と排液が等量となるように送液を行うバランス制御機構３３１を有している。バランス制御機構３３１は、例えば、２つの等量のポンプ室をプランジャが往復動することで給液と排液の等量性を維持する複式ポンプ等からなる。
【００２５】
排出側透析液回路３３０ｂには、バランス制御機構３３１をバイパスするバイパス回路３３０ｃが設けられており、このバイパス回路３３０ｃに、除水ポンプ３３２が配設されている。除水ポンプ３３２を駆動することにより、透析器３２への透析液の給液の量よりも排液の量が多くなり、血液からの除水が行われる。
【００２６】
図示していないが、透析液送排液部３３は、透析液の温度調節を行う機構や、透析液中の溶存酸素を脱気する機構や、透析液中の微粒子（エンドトキシン）を除去するフィルタや、透析液回路３３０側への漏血を検出する漏血検出器や、透析器３２を通過した後の透析液に紫外線を照射して溶質濃度を測定し、透析効率を求める機構等をさらに有していてもよい。
【００２７】
（制御部３４）
透析用ベースユニット３は、制御部３４を備えている。制御部３４は、送液ポンプ３１１、バランス制御機構３３１、及び除水ポンプ３３２の駆動制御を行う。また、制御部３４は、静脈圧検出器３１２や気泡検出器３１３の検出結果を基に、異常が発生したと判定されたとき、流路閉塞機構３１４により血液回路３１０を閉塞すると共に、送液ポンプ３１１、バランス制御機構３３１、及び除水ポンプ３３２の駆動を緊急停止する。制御部３４は、ＣＰＵ等の演算素子、メモリ等の記憶装置、ソフトウェア、インターフェイス等を適宜組み合わせて実現される。
【００２８】
本実施の形態では、制御部３４は、透析液供給装置特定部３４ａと、確認部３４ｂと、表示制御部３４ｃと、透析液供給装置制御部３４ｄと、報知部３４ｅと、を有している。以下、各部について詳細に説明する。
【００２９】
（透析液供給装置特定部３４ａ）
透析液供給装置特定部３４ａは、本発明の透析液供給装置特定手段４を構成するものであり、透析用ベースユニット３に接続された透析液供給装置２を特定するためのものである。本実施の形態では、透析液供給装置特定手段４は、透析液供給装置特定部３４ａと信号線４１とを有している。透析液供給装置特定部３４ａは、透析液供給装置２に設けられた通信ユニット２５と信号線４１を介して有線通信を行うことで、透析液供給装置２を特定するように構成されている。信号線４１は、透析用ベースユニット３と透析液供給装置２とが通信を行うための通信手段を構成している。なお、信号線４１は透析液回路３３０と一体となった専用の複合線でもよい。
【００３０】
透析液供給装置特定部３４ａは、例えば、信号線４１を介して、透析液供給装置２を特定するための信号（特定用信号という）を受信する（受信の手段は、透析液供給装置特定部３４ａから要求してもよいし、通信ユニットから特定用信号を送信しても良い）。透析液供給装置特定部３４ａは、受信した特定用信号を基に、予め記憶させておいたデータベースを参照するなどして、透析液供給装置２のタイプ（例えば、図２（ａ）〜（ｃ）のいずれのタイプに相当するか）や機種を特定する。
【００３１】
透析液供給装置特定部３４ａは、例えば、脱気機能がない透析液供給装置２が接続されている場合には、表示制御部３４ｃを介して後述するモニタ３５に脱気可能なユニットの取付けを示唆する表示を行うなど、安全上の措置を促すように構成されていてもよい。
【００３２】
（透析液供給装置特定手段４の変形例）
なお、ここでは有線通信により透析液供給装置特定部３４ａと通信ユニット２５間の通信を行ったが、これに限らず、透析液供給装置特定部３４ａと通信ユニット２５間の通信を無線通信により行ってもよい。無線通信の方式としては、Ｂｌｕｅｔｏｏｔｈ（登録商標）等が挙げられる。透析液供給装置特定部３４ａと通信ユニット２５間の通信を無線通信により行うことで、透析用ベースユニット３から離れた位置に透析液供給装置２が配置されている場合であっても、透析液供給装置２の特定を容易に行うことが可能になる。
【００３３】
また、透析用ベースユニット３の近傍に透析液供給装置２が配置される場合には、透析液供給装置特定部３４ａと通信ユニット２５間でＲＦＩＤ（Radio Frequency IDentifier）等のＩＣタグを用いた近距離無線通信により、特定用信号を送受信するように透析液供給装置特定手段４を構成してもよい。この場合、透析液供給装置２には、通信ユニット２５に代えて、ＲＦタグ等のＩＣタグが搭載されることになる。
【００３４】
さらに、図３に示すように、透析液供給装置２に信号線４１を接続するコネクタ４２に複数のスイッチ４２ａを形成すると共に、コネクタ４２が嵌合される透析液供給装置２のレセプタクル４３に、透析液供給装置２のタイプや機種に応じた特定のスイッチ４２ａを押し込む突起４３ａを設け、どのスイッチ４２ａが押し込まれるかを検知することで、透析液供給装置２の特定を行うように透析液供給装置特定手段４を構成してもよい。なお、図３の例はあくまで一例であり、スイッチ４２ａの形状等は図示のものに限定されない。
【００３５】
さらにまた、透析液回路３３０に透析液の圧力を測定する圧力センサや、透析液の濃度を測定する濃度センサを設け、透析液供給装置２に透析液の吐出圧や濃度を変更する信号を出力した際に圧力や濃度が変化するか否かを透析液供給装置特定部３４ａで検出することで、透析液供給装置２の特定を行うように透析液供給装置特定手段４を構成してもよい。
【００３６】
また、透析用ベースユニット３に入力手段を設け、入力手段によって透析液供給装置２の機種やタイプを入力するように透析液供給装置特定手段４を構成してもよい。入力手段としては、例えば、後述するモニタ３５に表示された機種等の選択肢を参照して機種等を選択する、あるいは機種毎に設定されたボタンを押すなどの手入力方式の入力装置としてもよい。手入力方式の入力装置を用いる場合、透析液供給装置２を特定するためのセンサ等が不要になるため、透析システム１のシステム構成を簡単化でき、コストも抑えることが可能になる。
【００３７】
入力手段は、手入力方式のものに限らず、透析液供給装置２に付された機種識別用のバーコードを読み込むバーコードリーダであってもよいし、カメラ等の撮像装置であってもよい。入力手段としてカメラ等の撮像装置を用いる場合、撮像した透析液供給装置２の画像（例えば色や形）を基に透析液供給装置２の機種等を判別するように透析液供給装置特定部３４ａを構成すればよい。
【００３８】
（確認部３４ｂ）
図１に戻り、確認部３４ｂは、本発明の確認手段５を構成するものであり、透析液供給装置特定手段４で特定された透析液供給装置２が正しいか否かを確認する（つまり再検証する）ものである。確認手段５としては、上述の透析液供給装置特定手段４と同様のものを用いることができる。つまり、透析用ベースユニット３に、透析液供給装置２を特定する手段を２つ以上設け、一方を透析液供給装置特定手段４として用い、他方を確認手段５として用いることができる。また、確認部３４ｂは、例えば透析液の濃度調整を行うことが可能な透析液供給装置２が接続されていると透析液供給装置特定手段４で特定された場合には、透析液の濃度調整を変更する制御を行い、実際に透析液の濃度が変化していることを確認するなど、特定された透析液供給装置２に応じて確認方法を異ならせるものであってもよい。
【００３９】
確認部３４ｂは、透析液供給装置特定手段４で特定した透析液供給装置２が正しくない場合、表示制御部３４ｃを介してモニタ３５に警告を表示するなど、安全を確保するための動作を行うように構成されていてもよい。なお、確認手段５を設けることは必須ではないが、特に透析液供給装置特定手段４として手入力方式の入力装置を用いる場合には、入力を間違えてしまう可能性があるため、確認手段を設けることが望ましい。
【００４０】
（表示制御部３４ｃ）
本実施の形態では、透析用ベースユニット３に、透析状況あるいは設定可能な透析条件等を表示するモニタ３５が設けられている。表示制御部３４ｃは、透析液供給装置特定手段４で特定された透析液供給装置２に応じて、モニタ３５の表示内容を変更するものである。
【００４１】
表示制御部３４ｃは、例えば、透析液供給装置特定手段４で特定された透析液供給装置２が多人数用透析液供給装置２ａ（図２（ａ）参照）である場合は、温度調整の表示のみをモニタ３５に表示する。また、表示制御部３４ｃは、例えば、透析液供給装置特定手段４で特定された透析液供給装置２が液調整部２１を有する透析液供給装置２ｂ（図２（ｂ）参照）である場合、温度調整の表示に加えて、透析液の濃度調整の表示や透析液原液（Ａ原液、Ｂ原液）の残量表示をモニタ３５に表示する。さらに、表示制御部３４ｃは、例えば、透析液供給装置特定手段４で特定された透析液供給装置２が透析液再生装置２ｃ（図２（ｃ）参照）である場合、温度調整や透析液の濃度調整の表示に加えて、リザーバ２４に貯留された透析液の状態や吸着器２３ａの状態を表示制御部３４ｃに表示する。なお、これら表示内容は一例であり、モニタ３５への表示内容は適宜設定可能である。
【００４２】
（透析液供給装置制御部３４ｄ）
透析液供給装置制御部３４ｄは、通信手段としての信号線４１を介して透析液供給装置２に制御信号を送信し、透析液供給装置２を制御するものである。透析液供給装置制御部３４ｄは、透析液供給装置特定手段４で特定された透析液供給装置２に応じて、その制御内容が変化するように構成されている。
【００４３】
透析液供給装置制御部３４ｄは、例えば、透析液供給装置特定手段４で特定された透析液供給装置２が多人数用透析液供給装置２ａ（図２（ａ）参照）である場合は、多人数用透析液供給装置２ａで制御可能な範囲（透析液の温度調整等）の制御のみを行う。また、透析液供給装置制御部３４ｄは、例えば、透析液供給装置特定手段４で特定された透析液供給装置２が液調整部２１を有する透析液供給装置２ｂ（図２（ｂ）参照）である場合、透析液の温度調整や濃度調整を制御可能とされ、また透析液原液の残量に応じた制御が可能となる。さらに、透析液供給装置制御部３４ｄは、例えば、透析液供給装置特定手段４で特定された透析液供給装置２が透析液再生装置２ｃ（図２（ｃ）参照）である場合、吸着器２３ａの状態、透析液量、循環流量に応じた適切な制御範囲において温度調整等の制御を行う。なお、ここで述べた透析液供給装置制御部３４ｄの制御内容はあくまで一例であり、適宜設定可能である。
【００４４】
（報知部３４ｅ）
報知部３４ｅは、本発明の報知手段６を構成するものであり、異常検知手段（ここでは静脈圧検出器３１２及び気泡検出器３１３）により異常が検知されたとき、当該異常の検知を報知するものである。本実施の形態では、報知部３４ｅは、透析液供給装置特定手段４で特定された透析液供給装置２に応じて、その報知先を変更可能に構成されている。報知手段６は、例えば、透析用ベースユニット３に取り付けられた発光装置やブザー等の警報装置を有していてもよい。
【００４５】
報知部３４ｅは、例えば、透析液供給装置特定手段４で特定された透析液供給装置２が多人数用透析液供給装置２ａ（図２（ａ）参照）である場合は、病院等での使用が想定されるため、透析用ベースユニット３における報知に加え、ナースステーションや医務室への報知を行う。また、報知部３４ｅは、例えば、透析液供給装置特定手段４で特定された透析液供給装置２が液調整部２１を有する透析液供給装置２ｂ（図２（ｂ）参照）である場合、在宅での使用が想定されるため、透析用ベースユニット３における報知に加え、患者Ｃの治療をサポートしている施設や介助者等にメール等による報知を行う。透析用ベースユニット３における報知としては、例えば、表示制御部３４ｃを介したモニタ３５への警報画面の表示、あるいは発光装置やブザー等の警報装置を用いた光や音による報知が挙げられる。
【００４６】
（実施の形態の作用及び効果）
以上説明したように、本実施の形態に係る透析用ベースユニット３は、接続された透析液供給装置２を特定可能な透析液供給装置特定手段４を備えている。これにより、使用する透析液供給装置２を特定することが可能となり、例えば使用する透析液供給装置２に応じた制御内容に切り替えたり、モニタ３５の表示内容を適切な表示内容に切り替えたりするなどの適切な措置を講じることが可能になる。また、何らかの異常が発生した際には、治療を行う環境・場所に応じた適切な報知先に報知を行う必要があるが、使用する透析液供給装置２を特定することによって、透析用ベースユニット３を使用している環境・場所を推定し、当該環境・場所に応じた報知先に異常の報知を行うことも可能になる。
【００４７】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００４８】
［１］透析液供給用の透析液供給装置（２）と別体に設けられ、前記透析液供給装置（２）から透析液の供給を受けて血液透析を行う透析用ベースユニット（３）であって、接続された透析液供給装置（２）を特定可能な透析液供給装置特定手段（４）を備えた、透析用ベースユニット（３）。
【００４９】
［２］前記透析液供給装置特定手段（４）で特定された透析液供給装置（２）が正しいか否かを確認する確認手段（５）をさらに備えた、［１］に記載の透析用ベースユニット（３）。
【００５０】
［３］透析状況あるいは設定可能な透析条件を表示するモニタ（３５）と、前記透析液供給装置特定手段（４）で特定された透析液供給装置（２）に応じて、前記モニタ（３５）の表示内容を変更する表示制御部（３４ｃ）と、をさらに備えた、［１］または［２］に記載の透析用ベースユニット（３）。
【００５１】
［４］前記透析液供給装置（２）と通信を行う通信手段と、前記通信手段を介して前記透析液供給装置（２）を制御する透析液供給装置制御部（３４ｄ）と、をさらに備え、前記透析液供給装置制御部（３４ｄ）は、前記透析液供給装置特定手段（４）で特定された透析液供給装置（２）に応じて、その制御内容が変化する、［１］乃至［３］の何れか１項に記載の透析用ベースユニット（３）。
【００５２】
［５］血液透析時の異常を検知する異常検知手段と、異常検知手段により異常が検知されたとき、異常の検知を報知する報知手段（６）と、をさらに備え、前記報知手段（６）は、前記透析液供給装置特定手段（４）で特定された透析液供給装置（２）に応じて、その報知先を変更可能に構成されている、［１］乃至［４］の何れか１項に記載の透析用ベースユニット（３）。
【００５３】
［６］透析液供給用の透析液供給装置（２）と、［１］乃至［５］の何れか１項に記載の透析用ベースユニット（３）と、を備えた、透析システム（１）。
【００５４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【符号の説明】
【００５５】
１…透析システム
２…透析液供給装置
３…透析用ベースユニット
３４ａ…透析液供給装置特定部
３４ｂ…確認部
３４ｃ…表示制御部
３４ｄ…透析液供給装置制御部
３４ｅ…報知部
４…透析液供給装置特定手段
５…確認手段
６…報知手段
【図１】
2019126530.tif 000003
【図２】
2019126530.tif 000004
【図３】
2019126530.tif 000005